(57)【要約】【課題】  ラジエータのキャップの軸方向長さを可及的に短くし、それが取り付けられるフィラネック２の突出量を小として、コンパクトなラジエータとすること。【解決手段】  負圧弁14として鍔部15を有する逆鍋形に形成し、その鍋底を上方に位置して鍔部15以外を正圧弁11の嵌着孔13に嵌着する。そして、負圧弁14の鍋底と弁本体６のバネ座７との間に第２スプリング16を介装する。【選択図】        図１
2012233452.tif 000002
【特許請求の範囲】
【請求項１】
タンク(1)の外面に突設されたフィラーネック(2)と、そのフィラネック(2)に着脱自在に締結されるキャプ本体(3)と、を具備するラジエータのキャップにおいて、
前記キャップ本体(3)は、頂部(4)が閉塞された筒部(5)を有し、その筒部(5)の内部に弁本体(6)が嵌着され、
その弁本体(6)は、底にバネ座(7)を有する筒状に形成されると共に、その筒部(6a)の内部に段付きに弁座(8)が内フランジ状に形成され且つ、その筒部外周に通気孔(9)が貫通され、
その弁本体(6)には、第１スプリング(10)を介して正圧弁(11)が内装され、そのシール部(12)が前記弁座(8)に着脱自在に着座され、
その正圧弁(11)は、中心に嵌着孔(13)を有し、その嵌着孔(13)に負圧弁(14)が上下動自在に嵌入し、
その負圧弁(14)は、その開口に環状の鍔部(15)を有する逆鍋形に形成されて、その鍋底を上方に位置してその鍔部(15)以外が正圧弁(11)の嵌着孔(13)に嵌着され、
その負圧弁(14)の鍋底と前記バネ座(7)との間に第２スプリング(16)が介装されて、その鍔部(15)が、前記正圧弁(11)の前記シール部(12)に着脱自在に着座するように構成したことを特徴とするラジエータのキャップ。
【請求項２】
請求項１に記載のラジエータのキャップにおいて、
前記負圧弁(14)が金属板のプレス加工により鍋形に形成され、その鍔部(15)の上面に、環状のリブ(17)が曲折形成され、そのリブ(17)が前記シール面(12)に接するように構成されたラジエータのキャップ。
【発明の詳細な説明】
【技術分野】
【０００１】
本発明は、主として自動車用エンジンの冷却水冷却用ラジエータであって、そのタンク上端に突出する給水用のキャップに関し、特に、そのキャップの高さを可及的に小さくするものに関する。
【背景技術】
【０００２】
下記特許文献１には、樹脂製タンクに着脱自在に取付けられるプレッシャバルブ（加圧弁）を有するキャップが提案されている。
そのキャップは、図５に示す如く、タンク１の上面に首部を有する筒状のフィラネック２が突設され、その外周にパイプ21が設けられている。そのフィラネック２には、キャップ本体３が着脱自在に螺着される。キャップ本体３は筒状に形成され、その下端に弁本体６が嵌着される。弁本体６には、負圧弁14とシール部12を有する正圧弁11とが夫々第２スプリング16及び第１スプリング10を介して内装されている。その正圧弁11には中心孔を有し、その中心孔に負圧弁14の軸部が上下動自在に挿入される。そして負圧弁14の下端には筒状のバネ座25が突設され、その外周に第２スプリング16の一端部が着座され、他端部が弁本体６のバネ座７に着座される。
【先行技術文献】
【特許文献】
【０００３】
【特許文献１】特開２００８−３０３７１７号公報
【発明の概要】
【発明が解決しようとする課題】
【０００４】
従来のラジエータのキャップは、その負圧弁14が正圧弁11のシール部12から下方に突出するバネ座25を有し且つ、負圧弁14を付勢する第２スプリング16の上端が正圧弁11のシール部12より下方に位置する。そのため、第２スプリング16のスペース，バネ座25のスペースを軸方向下方に必要とし、その分だけキャップ全体が軸方向に長くなる。すると、それに合わせてフィラネック２の上方への突出量が高くなり、コンパクト性に欠点がある。
そこで本発明は、キャップ本体３の軸方向長さを可及的に短くしたコンパクトなキャップを提供することを課題とする。
【課題を解決するための手段】
【０００５】
請求項１に記載の本発明は、タンク(1)の外面に突設されたフィラーネック(2)と、そのフィラネック(2)に着脱自在に締結されるキャプ本体(3)と、を具備するラジエータのキャップにおいて、
前記キャップ本体(3)は、頂部(4)が閉塞された筒部(5)を有し、その筒部(5)の内部に弁本体(6)が嵌着され、
その弁本体(6)は、底にバネ座(7)を有する筒状に形成されると共に、その筒部(6a)の内部に段付きに弁座(8)が内フランジ状に形成され且つ、その筒部外周に通気孔(9)が貫通され、
その弁本体(6)には、第１スプリング(10)を介して正圧弁(11)が内装され、そのシール部(12)が前記弁座(8)に着脱自在に着座され、
その正圧弁(11)は、中心に嵌着孔(13)を有し、その嵌着孔(13)に負圧弁(14)が上下動自在に嵌入し、
その負圧弁(14)は、その開口に環状の鍔部(15)を有する逆鍋形に形成されて、その鍋底を上方に位置してその鍔部(15)以外が正圧弁(11)の嵌着孔(13)に嵌着され、
その負圧弁(14)の鍋底と前記バネ座(7)との間に第２スプリング(16)が介装されて、その鍔部(15)が、前記正圧弁(11)の前記シール部(12)に着脱自在に着座するように構成したことを特徴とするラジエータのキャップである。
【０００６】
請求項２に記載の本発明は、請求項１に記載のラジエータのキャップにおいて、
前記負圧弁(14)が金属板のプレス加工により鍋形に形成され、その鍔部(15)の上面に、環状のリブ(17)が曲折形成され、そのリブ(17)が前記シール面(12)に接するように構成されたラジエータのキャップである。
【発明の効果】
【０００７】
本発明のラジエータのキャップは、その負圧弁14が鍔部15を有する逆鍋形に形成され、その鍋底を上にして、その鍔部15以外が正圧弁11の嵌着孔13に嵌入される。そして、その鍋底と弁本体６のバネ座７との間に第２スプリング16が配置されるから、スプリングのスペースを充分確保した状態で、バネ座７の位置を鍋底深さ分、上方に配置できる。その結果、負圧弁14を正圧弁11から下方に突出する長さが短くなる。それと共に、キャップ全体の軸方向長さが短くなり、結果、タンク１から突出するフィラネック２の突出量を短くして、コンパクトなラジエータのキャップ構造を提供できる。
上記構成において、請求項２に記載のように、負圧弁14を金属板のプレス加工により鍋形に形成し、その鍔部15の上面に環状のリブ17を曲折形成し、そのリブ17がシール部12に接するように構成した場合には、薄肉の負圧弁とすることにより、さらにコンパクトなラジエータのキャップを提供できる。
【図面の簡単な説明】
【０００８】
【図１】本発明のラジエータのキャップの縦断面図。
【図２】同キャップの分解斜視図。
【図３】同キャップの正圧弁11及び負圧弁14の斜視図。
【図４】同キャップの他の例を示す縦断面図。
【図５】従来型のラジエータのキャップの縦断面図。
【発明を実施するための形態】
【０００９】
次に、図面に基づいて本発明の実施の形態につき説明する。
本発明のラジエータのキャップは、図１に示す如く、そのラジエータのタンク１の上端に一体に突設されたフィラネック２と、それに着脱自在に螺着されるキャップ本体３とを有する。キャップ本体３は、その頂部４が閉塞された筒部５を有する。その頂部４の中心には、工具嵌着孔22が凹陥されている。そして筒部５の外周に外ネジ19が形成される。
また、フィラネック２の内周には内ネジ18が設けられ、その内ネジ18にキャップ本体３の外ネジ19が螺着される。
【００１０】
キャップ本体３の筒部５の下端部外周には環状溝が形成され、そこにＯリング23が嵌着される。その筒部５の下端部内面には、弁本体６の上端部が嵌着固定される。
その弁本体６は、その外周に放射方向へ複数の通気孔９が貫通すると共に、その外周に環状溝を有し、そこにＯリング23が嵌着されている。弁本体６の底にはバネ座７が設けられ、その底にはバネ座７の内側と外側に複数の通気孔24が形成されている。
【００１１】
このような弁本体６及びキャップ本体３は、樹脂の射出成形体からなる。弁本体６内には、第２スプリング16を介して逆鍋形の負圧弁14が配置される。この負圧弁14は、金属板のプレス成形体からなり、その開口に鍔部15を有し、その鍔部15の周縁に環状のリブ17を上向きに曲折形成している。
そして、弁本体６の筒部6aの内部は内フランジ部を有し、そこに弁座８が僅かに突設されている。そしてその弁座８に、正圧弁11のシール部12が着座される。正圧弁11の中心には嵌着孔13が形成され、そこに鍋底を上にした負圧弁14が、その鍔部15を除いて上下動自在に挿入される。
【００１２】
そして、正圧弁11の内部とキャップ本体３の頂部４との間に第１スプリング10が介装される。また、第２スプリング16の上端が負圧弁14の鍋底に着座し、その下端がバネ座７に着座する。
このように、第２スプリング16の上端が鍋底に着座するため、それがシール部12よりも上方に位置し、その分だけ第２スプリング16の下端位置を上方にすることができる。従って、その分だけ、弁本体６のバネ座７が上方に位置する。
その結果、キャップ本体３全体の軸方向長さが短くなる。すると、それを取り付けるフィラネック２の突出高さが短くなり、突出する頂部の低いコンパクトなラジエータとなる。
上記実施形態では、キャップ本体３の工具が嵌着する部分を工具嵌着孔22としたが、それに替えて、図４のごとく、工具嵌着凸部22aを設け、そこにスパナ等の工具を嵌着して、キャップ本体３の着脱を行うこともできる。
【符号の説明】
【００１３】
１  タンク
２  フィラネック
３  キャップ本体
４  頂部
５  筒部
６  弁本体
6a  筒部
７  バネ座
８  弁座
【００１４】
９  通気孔
10  第１スプリング
11  正圧弁
12  シール部
13  嵌着孔
14  負圧弁
15  鍔部
16  第２スプリング
【００１５】
17  リブ
18  内ネジ
19  外ネジ
20  ストッパ部
21  パイプ
22  工具嵌着孔
22a 工具嵌着凸部
23  Ｏリング
24  通気孔
25  バネ座
【図１】
2012233452.tif 000003
【図２】
2012233452.tif 000004
【図３】
2012233452.tif 000005
【図４】
2012233452.tif 000006
【図５】
2012233452.tif 000007